(57)【要約】真空管式太陽熱温水器の過熱を防ぐためはデバイスを追加するする事です。図、１は中央にヒートパイプ（２）がある単一真空ガラス管から出来ており、熱吸収フィン（６）と接続されてます。本発明は太陽から隠れている（日が当らない個所）ガラス管（１）の内壁の一部にガラス管の全長に沿って薄い湾曲した反射板（３）がガラス管（１）に組み込まれているのが特徴です。その反射板は円形リング（４）で組み合わされ形状記憶金属（ニチノール）をネジで固定し、熱の蒸発管との熱接触を作り双方向の金属トーションばね（５）で反射板を回転させます。その時にヒートパイプの蒸発管の温度が上がり一定値を超えると日射からの熱吸収フィン（６）を保護して太陽からの過熱を防ぎます。また、蒸発管（２）の温度が低下した時には回転は逆になり、通常の熱供給状態に戻ります。本発明は添付の説明に従い真空管の任意のタイプの太陽熱コレクタに一定の変更を加えれば他のコレクタにも適用します。したがって、フィンへの過熱の防止だけでなく、反射板に向かってフィンの放射熱損失の反射をより効率的に作れます。
2013514519.tif 000002
【特許請求の範囲】
【請求項１】
太陽熱コレクターは真空管でできており、その中には二つの同心円形チューブ（１＆１４）があります。これらは太陽エネルギーを熱伝達パイプ（２）で液体を通して内側のチューブ（１４）とアルミニウム・フィン（２３）で熱接触しており、その特徴は同心円形チューブの間に１８０度以下で直径が外側のチューブより小さく、リングに囲まれ、反射板（３）を止める為にタブでで固定されている薄い曲線の反射板（これはバイメタルかニチノールばねで自由に回れるように、熱伝達チューブが固定されてます）。ばねは北磁石（１６）につながれ、これは内側のチューブの外側の平面で南磁石（１７）を引っ張ります。温度が上がるとばねが回りニチノールばねも回り反射板も回ります（磁石の働きで）。反射板が回り太陽光がなくなり温度が下がるとともに元に位置、形状に戻ります（３）
（これはバイメタルなどダブルメモリタイプが鋼ばねのように気温の変化で形状が変わります。シングルメモリタイプはステンレス（１１）が必要です。）これはオーバーヒートから守るだけでなく、コレクターの性能を向上させます。（反射板が下の位置（標準時）の時は反射するので効率が良く、失われていく熱を吸収する反射板としてチューブの間で働きます。
【請求項２】
太陽光コレクターの熱伝達チューブ（１４）が中央にあるのが特徴です。
【請求項３】
ヒートパイプの中心よりずらす特性です。そしてバイメタルとニチノールばね（５）はコイルであり、良好な熱接触から銅、アルミニウム部分（２０）にはさまれてます。
【請求項４】
熱伝達管による水を通して加熱し流れる同心円状のパイプです。
【請求項５】
熱伝達管によるすべての長さで内側ガラス（１４）の内部で実行され、水を通して加熱し流れる“Ｕ”字形のパイプ（２）です。バイメタル又はニチノールばね（５）はコイルであり、良好な熱接触から銅、アルミニウム部分（１９）の“Ｕ”字形パイプ（２）に圧着または溶接で止められております。
【請求項６】
熱伝達管によるヒートパイプとして機能する内側のガラス管（１４）で内側のガラス管（１４）内の液体の量は少なく、蒸発は温度を増加させると先端のチューブを介して上昇します、そしてヒートパイプの凝縮した外側のガラスから突出しています。加熱される水との接触、及びニチノールばねと磁石が固定され、チューブに沿って上昇する蒸気を浸透させインナーチューブ、内部の圧力によって固定する軸を上に回転しています。
【請求項７】
アルミニウム製フィン（２３）の目的は放射部で３それ以上の多様性があります。アルミニウム製フィン（２３）は曲線、直線となります。数が少ない時は湾曲したものが望ましいです。それらの分離を目的に６つ又は８つは内側チューブ（１４）内部の優れた熱吸収を可能にします。
【請求項８】
先端の４か所にシリンダー（２２）を反射板に組み入れる。鉄に高い含有量の鉄素材で作られ、その代替えと反射板を保持するために端より回転が自由なリングで囲む、その二つの同じ高さに位置する外側のチューブの端近くにあり、他に同じものが二つありそれは反対側の端にある。そこで二つの磁石（２１）の内側グラス（１４）を通り磁場により回転し、“Ｖ”字形はシリンダーの場所と同じ高さです。回転はバイメタル、またはニチノールばねによって回転していることを確認します。
【請求項９】
単一のガラスの真空管（１）のタイプの太陽熱コレクタを特徴とその伝熱管（２）との接触の熱吸収フィン（６）により、作動流体に太陽の放射エネルギーを作り出している。それはガラス管に沿って小さく薄い湾曲した反射板（３）は円弧の少ない、又は１８０度に等しい何かを組み入れている。そして直径と内側のガラス管の内壁（１）より小さいリング（４）に囲まれ太陽からは隠れている。いくつかのタブ（７）または部分の圧力によって固定された。これはガラス管の内側に回転することができるように（１）トーションばね（５）に優れた熱接点とフックとヒートパイプ（２）の周りに巻きバイメタル、ニチノール（または温度で形状を変更する任意の他の合金）に押されクランプ（１０）、圧縮リングまたは溶接で短い端（９）による長い方の端（８）とヒートパイプ（２）反射板（３）に引っかける事ができます。ヒートパイプ（２）の温度上昇はニチノールばね（５）を回転させ、この回転で反射板（３）を回転させます。反射板（３）のこの回転は動作流体の防止、フィン（６）で過熱から吸収して（６）太陽放射をカバーしてヒートパイプ（２）の温度により動きを逆回転させます。熱を供給するコレクタの通常の位置に反射板（３）は二つのメモリ形状でニチノールばねのバイメタルを用いた場合には太陽放射から隠されたフィンに吸収され元の位置に戻ります。単一形状記憶のニチノールばね（５）の場合はその他の鉄製ばね（１１）もあります。過熱保護に加えて、本発明は反射板（３）に位置するコレクタの特性を高めることを目的としてフィン（６）を低く供給熱の通常より低く位置してます。それに対してフィン（６）の放射熱損失を反映して、反射板（３）はガラス管（１）と接触しないという事実による性能に最適に増加して、既存の分離は真空中でガラス管（１）の内壁と反射板の間に介在するリング（４）で創造できます。
【請求項１０】
伝熱管がヒートパイプである。
【請求項１１】
伝熱管は水を通して加熱し流れる同心円状のパイプです。
【発明の詳細な説明】
【技術分野】
【０００１】  太陽熱エネルギーが太陽光集熱器に集められる熱容量を制御することは非常に重要な問題です。太陽光集熱器に常に太陽エネルギーが供給され続けると耐久性と能力が低下し、コストの増加につながります。又、集熱器の温度調整を実施しないと以下の問題が発生します。【０００２】＊増加する設計、工事費用：オーバーヒートを防ぐために追加工事として特殊な溶接、膨張タンク、安全弁の追加等、より複雑で高価な処置が必要です。
＊設備の能力と耐久性の低下：オーバーヒートを起こすとすべての太陽熱設備は被害を受けます。その時、集熱器の特性が低下し、ダメージを受けます。通常、オーバーヒートをおこすと不凍液が分解され、冬には不凍液の役目をしなくなり、全ての設備を危機にさらします。
暖房用の太陽熱設備の設計には可能な限り、集熱器の面積を大きくする必要があります。
その為、夏にはオーバーヒートの原因となります。
施設の設計はある程度のオーバーヒートには耐えられる設計にはなっておりますが、ここに記載されていない問題点が発生する可能性もあります。【０００３】  これらの問題点を防止するためには集熱器の熱供給を制御するならば、現在の設備の価格はより経済的になります。【０００４】現在、太陽温水器設備のオーバーヒートを防ぐ方法には色々な方法があります。
一般的に使われているのは、【０００５】手動で集熱器をカバーで覆う：
問題点：  集熱器が保護されないとオーバーヒートの色々な原因となります。
この場合は集熱器が屋根の上にあり、取り付け場所までアクセスする事が困難であり、その費用をカバーする事ができません。【０００６】夏期の間は集熱器の角度を通常の角度より上げる：
問題点：  すべてのオーバーヒートの原因を防ぐことができません。集熱器が適切な角度でない為に、その機能が低下します。【０００７】集熱器の真空管の本数を減らす：
問題点：  集熱器の本数を減らしてもオーバーヒートの原因を全て防ぐ事はできません。その分、本数を減らした事で設備には少ないエネルギーしか得られません。【０００８】熱逃がし弁の設置：
問題点：  設備の追加費用の増加、ポンプの故障によるオーバーヒートの可能性があります。【０００９】水泳プールの水の巡回：
問題点：  プールのない家庭には適用できない。プールを使用しない時はポンプは使用しない、もし使用中にポンプが故障した時はオーバーヒートの原因となります。【００１０】お湯を捨てて、水を入れる：
問題点：  必要としない水の供給。ポンプの故障が発生した場合はオーバーヒートの可能性が大きい。【００１１】集熱器が空になる：
問題点：  集熱器の空炊きでオーバ−ヒートになり、修理する為の設備の費用負担が大きい。【００１２】一般的な高度なシステムは不具合による費用負担大きくなります。
その他：【００１３】異なるタイプの集熱器のうち、現在の発明された真空管集熱器の特性温度は２５０℃です。
この特許の目的はオーバーヒートを起こさないよう真空管集熱器の温度を１２０℃以下に引き下げる事です。【００１４】現在、２種類の太陽光真空管があります。
Ａ）真空内部による単一ガラスの真空管
Ｂ）ガラス間の真空による二重構造の真空管【００１５】真空管より熱を取り出す幾つかの方法があります。
１、ヒートパイプ付きに関して、ヒートパイプは２つの個所で出来ており、通常は銅製です。一つの長い部分はガラス内部に蒸発部と呼ばれる長い管があります。もう一つはコンデンサーと呼ばれる短い部分があり、真空管の外側に位置してます。コンデンサーは蒸発部より高い位置にあります。
コンデンサーの内には少量の液体が入っております。温度が上がると蒸気となってコンデンサーまで上昇します。このコンデンサーはコレクター頭部で熱接触し流体の温度が上昇します。流体はコンデンサーまで上昇し、蒸気が冷えて流体として蒸発部に戻ります。  冷えた蒸気はそれ自身の重さで蒸発部に戻り、温度が上昇すると再びコンデンサーまで上昇するサイクルを繰り返します。【００１６】２、同心の管（同心の真空管には入口と戻り口がある）か、またはＵ型の形状の管です。この管に温められた流体が入ります。この流体は真空管の中で温められ、この流体がこの管の中を通過する際に加熱されます。
両方ともに、ヒートパイプ、同心パイプまたはＵ形状でより良い特性を得るためにヒートパイプやパイプと接触する太陽放射より吸収フィンを使用するのが一般的です。【００１７】３、同心円状のガラス管は直接熱される液体からの抽熱はチューブの内部で加熱される流体から直接取り出すことができます。この流体が再びサイクルを繰り返すことで加熱されるまで、チューブを通過して冷えた液体に置換され、コレクタの集熱器に向かって熱サイホン効果によって加熱し、上昇していきます。内側の管（インナーチューブ）はそれがヒ−トパイプであるかのような働きをして、その両端が閉じている同心円状のガラス管は蒸発させるために少量の液体が入ってます。この場合、内側のガラス管の外形は、外側のガラス管より短く、この先にはヒートパイプのコンデンサー機能があります。【００１８】真空管集熱器の過熱の問題を解決しようと多くの特許があります。
例えば、
特許ＵＳ５６６７００３はバイメタルまたはヒートパイプのコンデンサー部の所に形状記憶を持つ金属（以下ニチノールと呼び）を用いてヒートパイプの内部にある液体を収集する方法を示しています。ヒートパイプの温度が高すぎると蒸発器は全ての液体を最終的にはニチノールによって蒸発器に戻って戻ってくるか、液体が蒸発器チューブには戻らないよう止めるか、これは通常ヘッダーに向けての熱伝達で液体の蒸発凝縮の過程を防ぎます。
凝縮温度が低下した時はニチノールが開き蒸発器に液体が戻す事ができ、蒸発凝縮の過程によって再び熱を供給するのです。
この方法での問題はヒートパイプの材質は通常は銅であるため、コンデンサー、ヒートパイプの銅管からの伝導によって熱を受けているので、熱の伝達は完全に避けることができないと言うことです。このメリットは１８４℃以下のコレクターの余分な温度を減らすことができますが、このような理由からそれが過熱防止のために十分ではありません。（１８４℃の過熱温度は権威のあるスイスの研究所ＳＰＦにてこれらの種類の試験を実施して得られております）【００１９】バイメタルやメモリの形状を有する材料の使用は異なる目的に対してソーラー集熱器の最先端として知られてます。例えば、特許ＪＰ５９２３１３６０はヒートパイの蒸発器の吸収フィンに取り付けられ、これらの材料によって過熱を避ける為の方法を提案しております。これらフィンは、この場合は一方の側に太陽光を吸収すると他の太陽光は反射して、曲げており、温度が高すぎるときにニチノールによりその反射板を見せるようにします。
この特許は過熱を避けるために十分ではありません。ＵＳ５６６７００３と同じ理由ですが、ただ、停滞している温度は下げることができます。【００２０】特許ＪＰ５９０２４１４３はニチノールを使用して過熱を防ぐやり方です。このケースではニチノールはコンデンサーにスパイラルスプリング形状のコイルがあり、半円外部の上で反射時に温度上昇に移動していきます。前項の特許と同様の理由については停滞してる温度が過熱を避けるためには十分ではなく約２２０℃までしか減少しません。
その上、この特許は長年にわたり悪天候に耐えることができず、チューブの外側に反射板を付ける不便なものでした。【００２１】  特許ＪＰ５９０１２２５３はヒートパイプの下にある反射板に取り付けられたニチノールを使用します。温度が上昇するとニチノールは反射板を動かし、ヒートパイプにはその焦点の中心から外れます。この特許は太陽が常に反射板に対して垂直であることを前提として太陽がその反射（午前、午後）角度が垂直でない場合は何が起こるか明確ではありません。
その為、反射器はヒートパイプの蒸発器に向かって全く熱放射を反映していない場合でも、ヒートパイプは常にコレクターに熱を供給し太陽にさらされて、上記の特許と同様に過熱を避けるために許容レベルまで温度を下げることができません。【００２２】  その他の特許は異なる方法を使用し過熱を防ぐ為に電気を使用（モーターの動力を使用する、たとえば、太陽に対してある程度の保護機能を設ける）する方法もあります。望ましいことは電気を使用しない、と言うのは過熱は一次側回路のポンプとソーラー制御器の電源が停止を引き起こすからです。停電はＵＰＳ（無停電装置）で一時的に回避することができますが太陽熱温水器工事の費用を増加させる為にＵＰＳシステムを利用することは望ましくありません。この特許は太陽コレクターの最先端材料として良く使われている事は知られおり、ニチノール、太陽光をフィンで吸収、壁を通して移動する磁石、その他があります。設計に関しては、温水の温度は必ず１２０℃を超えないように効率的、安定性が設計に求められております。
同時に、本発明は非常に経済的でそれを商業化することが可能になりました。
最近はオーバーヒートの問題を見ておりませんが市販の真空管太陽コレクターにはありません。
【背景技術】
【背景技術１】
リング（輪）によって保持する反射板モデル
【００２３】＊モデル１、ヒートパイプ付単一ガラス真空管
この項では熱吸収ヒートパイプに取り付けられた単一のガラス管の種類の真空管コレクタに本発明の出願に記載され、次の項ではいくつかの簡単な変更の為に、本発明は真空管コレクタの種類もあり、適用される順序で容易に変更もあります。
図、１＆２
【００２４】図、１＆２はコレクターを示します。
真空内部のある単一のガラス管があるタイプ（１）。チューブ内にヒートパイプのあるタイプ（２）。このヒートパイプには接続されているフィン（６）があり、太陽光吸収材として扱われ、その熱は熱接触によってヒートパイプ（２）に送られます。
【００２５】本発明に関して反射板（３）はアルミニウム、ステンレスやその他の材料で作られ２００℃以上の温度でも耐えられる構造を説明します。
小型で薄いこの反射板（３）の形状は半円形であり、その長さはほぼガラス管と同じです。この反射板（３）はガラス管（１）の中である角度に回転させ日射量からフィン（６）により過熱保護する事が主な目的です。反射板（３）がさらに回るとフィン（６）よりの吸収は少なくなり、もし回転角度が１８０°になると日射量はフィン（６）によって吸収することはありません。故に、コレクターはシステムに対して熱供給をしないのです。
【００２６】反射板（３）の第二の目的は反射板が回転せず、低い位置にある時はフィンが赤外線放射を反射させるか、またはそれらに向け日射吸収することでコレクタの特性の向上、熱放射による損失を防ぐことが出来ます。
図、３
【００２７】反射板（３）の回転はバイメタルによるねじればね（５）、ニチノール（ニッケル／チタン合金）またはその他の合金で温度で変化し（これ以後はニチノールと記載します）ヒートパイプ（２）との間に良好な熱接触によって反射板が回転します。ヒートパイプ（２）の温度による過度な増加は温度の変化により形状が変わりニチノールのばねが回転を始めます。ニチノールばね（５）はその長い方の端（８）だけで回転します。その他の短い方の端はヒートパイプ（２）にクランプ止め（１０）、リング（４）固定、又はヒートパイプに溶接するかで固定されてます。
ニチノールばね（８）の長い方の端は順番に最初のリング（４）に接続され、３つのタブ（７）にて反射板を固定してます。故にニチノールばねの回転により反射板の回転を引き起こしてます。反射板（３）の回転よりフィンによる放射線からの吸収はそれ以下となり、ヒートパイプ（２）に低い温度で送ることができます。ヒートパイプの温度が低下した時のニチノールばねは大きく回転する事なく安定化を図ります。この温度の安定化はコレクタの過熱を防ぎます。
図、３のニチノールばねは真空管の端部近くに位置し、真空管に沿って他の場所に位置することもできます。
図、４
【００２８】図、４、１は反射板（３）を示し、反射板が回転をしていない状態でフィン（６）の下にあるカラス管（１）の下部に位置してます。
図、４、２は１８０度回した後の反射板の位置を示し、この状態は最も高い位置で完全に太陽放射からフィンで真空管をカバーしてます。さらにこの図はフィンのカバーの目的を理解する為に１８０度の回転角度を示してますが、かならずしもこの回転に到達する必要はありません。ヒートパイプの温度が安定したなら回転は停止します。
【００２９】なぜなら、ニチノールばね（５）が回転を広げて行くにはヒートパイプ（２）との接触点のロスを最小にします。これはヒートパイプ（２）には可能な最大に接触している事が望ましく、ヒートパイプの温度が熱接触によって送られてます。それらの間の熱接触を向上させるために、ニチノールばね（５）とヒートパイプ（２）の間に熱伝導グリースを挿入する事で最大の接点を達成することができます。このヒートパイプにあるばねの熱伝導接点は単一ガラス真空管には必要です。なぜなら、ばねは真空内にあり真空中でない熱伝達は存在しないのです。故に、二重ガラス真空管の場合には熱接触する必要がなく、内側のガラス（１４）の内部に空気があるからです。
図、５
【００３０】反射板（３）が回転した時は自身の重さで下げる事ができ、フィン（６）で接点を作ります。これは反射板（３）の熱接点によりガラス管（１）に向けてフィン（６）からの伝導によって失う熱があることは望ましくありません。
それはアルミニウム、鋼、他の材料で作られたいくつかの薄厚リングは２００℃以上になっても反射板に固定されてます。例えば、３つのタブ（７）は提供された反射板（３）の溝に曲げられて入っておりますが他の方法もあります。それらのリングは反射板（３）とガラス管（１）の間の熱接触を避けるために追加の利点を提供することに留意すべきです。それによってそれらのフィンの放射線を増やすとコレクタの特性が向上します。反射板は真空であり、実際には接触することなく、ガラス管の内壁（１）の非常に近くにあります、なぜなら、リングがあるからです。全てのリング（４）は特殊な金具でばねを固定しており（図、５の場合、最初のリングは他の目的かも知れません）ます。
又、もう一つの穴付の４番目のタブ（図示はない）を介してニチノールばね（５）の長い方の端（８）も固定しています。
図、６
【００３１】もし、ニチノールばねが単一記憶型なら、それは温度の上昇でニチノールの回転角度が増加しますが、温度が低下して行くと初期の位置に戻らなのです。そこでスパイラル又はトショーン形状を持つ標準の鋼製ばね（１１）によって戻す事を助ける事ができます。この鋼製ばね（１１）ではニチノールばね（５）は任意の位置にネジ止めすることができます。図ではニチノールばね（５）の後に置かれた鋼製トーションばね（１１）を示しております。
【００３２】もし、ばねがバイメタルか二つの記憶ニチノール形状で作られている場合は他の鋼製ばねを追加する必要はありません。なぜなら、それらのばねは温度の元の位置まで減少することによってそれ自身で元に戻ります。反射板の回転の変化は過熱保護が適切な管理を提供すべきであります。その他、太陽放射からのすべて熱をフィンではカバーできません。それ故、バイメタル、又はニチノールばねがフォームと温度によるトーションの角度の両方で適切に設計する事がその理由です。また、反射円弧の長さは過熱保護を達成することができるので、必ずしもその長さは必要ないが１８０°の回転は適切です。これらのばねと反射板の対策は問題のチューブの種類で部分的に決まります。
モデル２：同心円状のパイプを持つ単一のガラス真空管
図、７
【００３３】この真空管の形状はヒートパイプではなく、その代わりに同心パイプ（１２＆１３）が付いてます（液体が両方向にいけるように）。ニチノールばねは外側のパイプに固定されます。性能はモデル１と変わりません。
モデル３：  中心ヒートパイプにおけるダブル同心円形真空チューブ
図、８
【００３４】真空中での反射板（３）および２つの同心円状のガラス管（１＆４）の間に配置されたニチノールばね（８）の長い方の端を直接、反射板（３）にはガラスがある為に引っ掛けることができません。ニチノールばねには北磁石（１６）を設置し、反射板（３）の保持リング（４）で固定された内側の同心円状のガラス（１４）を通して、反射板（３）には南磁石（１７）、または鉄分の高い素材で引っ張り合います。北磁石が回転（１６）すると反射板（３）が南磁石を引っ張り、ガラスを通して南磁石（１７）が回転します。
南磁石（１７）は北磁石（１６）の引力によって可能となっており、また、鉄、高鉄含有量の素材に代えることもできます。この磁石はかなりの高温度に耐えなければなりません、そのためネオジューム、サマリウムなどでできた磁石を使用しなければなりません。
モデル４：  ダブル同心円形真空管  Ｕ字形パイプ付き
図、９
【００３５】この種の真空管にはヒートパイプはなく、代わりに全長にわたるガラス管内（１４）にＵ字形パイプをとおり銅、又はアルミニウムの形成パイプ（図にはこの型は載せてません）と熱接触します。二つのパイプの間に銅、またはアルミニウム（１９）部品が組み込まれてニチノールばねはその上に設置されます。
この場合、ニチノールばね（５）はパイプ固定部品（１９）にネジ止めされています。そして反射板（３）の回転は１８０度以下に限られますがＵ字パイプ（１８）のニチノールばね（８）の長い方の端の動きによって過熱を効果的に防止することができます。それは反射板が１８０度回転する必要がありません。
真空管が同心円状であるためモデル３のように磁石の位置を決めなければなりません。
モデル５：ダブル同心円状のガラス真空管、中心よりずれたヒートパイプ付き
図、１０
【００３６】この種の真空管はヒートパイプ（２）が中心よりずれている事を除き、モデル３の場合と同じです。この発明はモデル４と同じ方法で改善されます。ただ、銅またはアルミニウム部（２０）が短く、熱パイプに固定されます。
モデル６：ダブル同心円形真空管にパイプがなく、内部流体付き
【００３７】この真空管は一般的によく知られた“熱サイフォン”形です。水平におかれた集熱器が熱を作るために使われます。真空管を直接タンクに挿入すると集熱を作ることができます。ただ、この集熱器は低価格ですが圧力には弱い構造です。
この種のチューブの内側部分インナー側は熱サイフォン効果によって熱を伝達するよう動作流体で満たされております。本発明はモデル３のように同じ方法でこの種のチューブに適用が可能であり、ニチノールばねの目的は動作流体を対流させ動作流体の増加のため、過度の温度変化はニチノールばねが動きで行います。
この場合、中心軸（図示はない）のニチノールばねの場所にはヒートパイプがありませんので、ここでは金属製で簡単にインナーチューブの壁に圧力によって固定してニチノールばねを回転できるようにしてます。
モデル７：ダブル同心円形真空管にパイプなし、蒸発すると伝熱を発熱する液体付き
【００３８】このチューブには少量の液体が内部に入っており、チューブの温度が上がった時、チューブ内の液体が蒸発し、全チューブはヒートパイプの軸となって動作します。インナーチューブは上端に外管がら突出しており、それがヒートパイプの凝縮であるかのようにこの突き出た部分が働いており、両方の端は閉じられております。通常、気化開始する液体内部の温度を制御するために、インナーチューブ内が真空です。本発明はモデル６のように同じ方法でチューブの形を適合させ、蒸気内側のばねはインナー管（１４）を上昇させ蒸気の温度に応じて回転して温度を沈めてます。
【背景技術２】
反射板がリングで固定されてないダブル同心円形真空管のモデル
ＦＩＧ．１１、１２、＆１３
【００３９】二重の同心円状のガラス真空管にも色々な種類があります。
それは反射板（３）がどのリングも使わず下記の方法で任意の位置を指定できます。
反射板（３）は小さなシリンダー（２２）（これは磁石によって引力されることがでる鉄や鋼鉄のような含有量を持つ任意の金属）が付いてます。
ヘッダーの近く、真空管（１４）の上端近くに同じ高さで２か所あります。
同様に同じ高さで真空管の下部にも付いてます。これらのシリンダー（２２）は反射板（３）に固定され、反射板の切断、曲げ、打ち抜き等を出来、傾けるだけで自由に角度を調整できます。それはシリンダー（２２）の動きで自由に回転することができます。
【００４０】（図示はない）よう曲げ部品（ＦＩＧ１１＆１２のような）またはメタル・クランプを使用して調整します。これらの部品は反射板（３）の圧力によって固定されます。シリンダーは反射板の上を自由に回転するようにヒートパイプ（２）に導入された穴とできればネオジウムの“Ｖ”形状を持つ二つの磁石（２１）によって移動されます。これらの磁石は二つのニチノールばね（５）で移動し、その一端で固定され、戻ると他方の端でばねは固定されます。ヒートパイプ（２）のニチノールの固定方法は圧着（１０）か溶接です。
【００４１】ニチノールばねの回転はその回転から管の内側のガラスの壁を通してシリンダーを引き付けて、磁石の回転を引き起こします。もしそれらが車輪のようにシリンダーが回転したとき内側のカラス管の外側面に置いて動きます。シリンダーが回転する時、内側ガラス面への最小限の障害を作ることを目的に中央部（２２Ｂ）でもう少し細いシリンダーを製造することできると思います。
反射板はシリンダーの磁石の引力によって回転した時に落下せずに内側のガラス管の上で回転することができるからです。
【００４２】内側のガラス管の中央にヒートパイプ、三つの細長いアルミニウム板（２３）、ＦＩＧ１３で示します。
これらのプレート（アルミ板）はヒートパイプを中央に置くだけでなく、チューブ内（１４）の熱を同時に転送するため、より効果的な集熱器の特性を提供してます。これらのプレートは縦方向にカットされ、ニチノールばねと磁石の間に設置は可能です。
【先行技術文献】
【特許文献】
【００４３】
【特許文献１】  特開昭５９−２４１４３
【特許文献２】  特開昭５９−２３１３６０
【特許文献３】  米国特許第ＰＣＴ／ＧＢ９２／００７０１
【図１】
2013514519.tif 000003
【図２】
2013514519.tif 000004
【図３】
2013514519.tif 000005
【図４．１】
2013514519.tif 000006
【図４．２】
2013514519.tif 000007
【図５】
2013514519.tif 000008
【図６】
2013514519.tif 000009
【図７】
2013514519.tif 000010
【図８．２】
2013514519.tif 000011
【図９】
2013514519.tif 000012
【図１０】
2013514519.tif 000013
【図１１】
2013514519.tif 000014
【図１２】
2013514519.tif 000015
【図１３】
2013514519.tif 000016
【国際調査報告】
2013514519.tif 000017
2013514519.tif 000018
2013514519.tif 000019
2013514519.tif 000020
2013514519.tif 000021
2013514519.tif 000022
2013514519.tif 000023
2013514519.tif 000024